(57)【要約】      （修正有）【課題】下部コネクタ筐体部分及び上部コネクタ筐体部分を含む、デュアル加入者識別モジュール（ＳＩＭ）カードコネクタを提供する。【解決手段】上部コネクタ筐体部分は、下部コネクタ筐体部分に結合されて、上部コネクタ筐体部分と下部コネクタ筐体部分の間に受容空間のための開口部を画定する。開口部及び受容空間は、ＳＩＭカードトレイを摺動可能に受容するためのサイズ及び形状とされる。コネクタは、下部コネクタ筐体部分の底面に配置され、トレイが受容空間内に受容された場合にＳＩＭカードトレイの第１の側部に配置された第１のＳＩＭカードと接触するように構成された、第１の複数の電気接点を含む。コネクタは、上部コネクタ筐体部分の上面に配置され、トレイが受容空間内に収容された場合に第１の側部の反対にあるＳＩＭカードトレイの第２の側部に配置された第２のＳＩＭカードと接触するように構成された、第２の複数の電気接点を含む。【選択図】図２Ｂ
2019153573.tif 000002
【特許請求の範囲】
【請求項１】
デュアル加入者識別モジュール（ＳＩＭ）カードコネクタであって、
底面を有する下部コネクタ筐体部分と、
上面を有する上部コネクタ筐体部分であって、前記上部コネクタ筐体部分は前記下部コネクタ筐体部分に結合されて前記上部コネクタ筐体部分と下部コネクタ筐体部分との間に受容空間に対する開口部を画定し、前記開口部及び前記受容空間は、ＳＩＭカードトレイを摺動可能に受容するように寸法設定及び形状付与されている、上部コネクタ筐体部分と、
前記下部コネクタ筐体部分の前記底面に配置されており、前記ＳＩＭカードトレイが前記受容空間内に受容された場合に前記ＳＩＭカードトレイの第１の側部に配置された第１のＳＩＭカードと接触するように構成された第１の複数の電気接点と、
前記上部コネクタ筐体部分の前記上面に配置されており、前記ＳＩＭカードトレイが前記受容空間内に受容された場合に前記第１の側部の反対にある前記ＳＩＭカードトレイの第２の側部に配置された第２のＳＩＭカードと接触するように構成された第２の複数の電気接点と、を備える、ＳＩＭカードコネクタ。
【請求項２】
前記下部及び上部コネクタ筐体部分は一体的に形成されている、請求項１に記載のＳＩＭカードコネクタ。
【請求項３】
前記上部コネクタ筐体部分は、一対の互いに反対にある側壁及び前記互いに反対にある側壁の間に延びる後壁を含み、前記互いに反対にある側壁及び後壁は、前記上面から延び、前記下部コネクタ筐体部分に結合されるように構成されている、請求項１に記載のＳＩＭカードコネクタ。
【請求項４】
前記下部コネクタ筐体部分は、一対の互いに反対にある側壁及び前記互いに反対にある側壁の間に延びる後壁を含み、前記互いに反対にある側壁及び後壁は、前記底面から延び、前記上部コネクタ筐体部分に結合されるように構成されている、請求項１に記載のＳＩＭカードコネクタ。
【請求項５】
前記第１及び第２の複数の電気接点は、回路基板に電気的に接続されるように構成されている、請求項１に記載のＳＩＭカードコネクタ。
【請求項６】
前記ＳＩＭカードの各々は、前記ＳＩＭカードトレイが前記受容空間内のラッチ位置にある場合に、前記第１又は第２の複数の電気接点に接続されるように構成された複数のＳＩＭカード接点を有する、請求項１に記載のＳＩＭカードコネクタ。
【請求項７】
前記開口部は、前記上部及び下部コネクタ筐体部分の前面に配置されており、前記前面は、前記コネクタと電子デバイスの筐体との間にシールが形成されるように、ガスケットにより前記電子デバイスの前記筐体と嵌合するように構成されている、請求項１に記載のＳＩＭカードコネクタ。
【請求項８】
前記下部コネクタ筐体部分の前記底面は、第１の傾斜面を含み、前記上部コネクタ筐体部分の前記上面は、第２の傾斜面を含み、前記第１及び第２の傾斜面は、前記ＳＩＭカードトレイが前記受容空間内に受容されている場合に、前記ＳＩＭカードトレイの位置を維持するように構成されている、請求項１に記載のＳＩＭカードコネクタ。
【請求項９】
前記ＳＩＭカードトレイを更に備え、前記ＳＩＭカードトレイは、前記第１及び第２のＳＩＭカードを、それぞれのＳＩＭカードのＳＩＭカード接点が反対方向を向くように積層された構成に保持するように構成されている、請求項１から８のいずれか一項に記載のＳＩＭカードコネクタ。
【請求項１０】
前記ＳＩＭカードトレイは、前記第１及び第２のＳＩＭカードをそれぞれ保持するように構成された、互いに反対側にあるレセプタクルを含む、請求項９に記載のＳＩＭカードコネクタ。
【請求項１１】
前記ＳＩＭカードトレイの前記レセプタクルの各々は、後部面取りされた縁部を含む、請求項１０に記載のＳＩＭカードコネクタ。
【請求項１２】
筐体と、
前記筐体内に配置されており、空洞と連通する受容開口部を有するコネクタエンクロージャと、
加入者識別モジュール（ＳＩＭ）カードを保持し、前記受容開口部を介して前記空洞内に挿入されるように構成されたトレイと、
前記コネクタエンクロージャの下面に配置された第１の複数の電気接点と、
前記エンクロージャの上面に配置された第２の複数の電気接点であって、前記第１又は第２の複数の電気接点の１つは、前記トレイが前記空洞内に受容された場合に前記ＳＩＭカードと回路基板の間に複数の電気的接続を形成するように構成されている、第２の複数の電気接点と、を備える電子デバイス。
【請求項１３】
前記トレイは、１つのＳＩＭカードのみを保持するように構成されている、請求項１２に記載の電子デバイス。
【請求項１４】
前記トレイは、第１及び第２のＳＩＭカードを、前記トレイが空洞内に受容された場合に、前記第１のＳＩＭカードの電気接点が前記第１の複数の電気接点と接触し、前記第２のＳＩＭカードの電気接点が前記第２の複数の電気接点と接触するように積層された構成に保持するように構成された、互いに反対側にあるレセプタクルを含む、請求項１２に記載の電子デバイス。
【請求項１５】
前記トレイの前記レセプタクルの各々は、後部面取りされた縁部を含む、請求項１４に記載の電子デバイス。
【請求項１６】
前記レセプタクルの少なくとも１つは、前記第１又は第２のＳＩＭカードを前記レセプタクル内に固定するように構成された保持機構を含む、請求項１４又は１５に記載の電子デバイス。
【請求項１７】
前記エンクロージャの前記上面及び下面は、それぞれ第１及び第２の傾斜面を含む、請求項１２に記載の電子デバイス。
【請求項１８】
前記コネクタエンクロージャの少なくとも一部分の上に配置されるように構成されたカバーを更に備える、請求項１２から１７のいずれか一項に記載の電子デバイス。
【請求項１９】
加入者識別モジュール（ＳＩＭ）トレイアセンブリであって、
互いに反対にある第１及び第２の側部と、
第１のＳＩＭカードを内部に保持するように構成された前記第１の側部上にある第１のレセプタクルと、
前記第１及び第２のＳＩＭカードが積層構成に保持されるように、第２のＳＩＭカードを内部に保持するように構成された前記第２の側部上にある第２のレセプタクルと、を備え、前記第１及び第２のレセプタクルの各々は、後部面取り縁部を含む、ＳＩＭトレイアセンブリ。
【請求項２０】
前記レセプタクルの少なくとも１つは、前記第１又は第２のＳＩＭカードを前記レセプタクル内に固定するように構成された保持機構を含む、請求項１８に記載のＳＩＭトレイアセンブリ。
【発明の詳細な説明】
【技術分野】
【０００１】
（関連技術の相互参照）
本出願は、２０１８年３月１日に出願され、「Ｄｕａｌ  Ｓｉｍ  Ｃａｒｄ  Ｃｏｎｎｅｃｔｏｒ」と題する米国仮特許出願公開第６２／６３７，２２２号、及び２０１８年９月６日に出願され、「Ｄｕａｌ  Ｓｉｍ  Ｃａｒｄ  Ｃｏｎｎｅｃｔｏｒ」と題する米国特許出願公開第１６／１２３，６９６号に基づく優先権を主張するものであり、本明細書に、すべての目的のためにその全体が参照により組み込まれる。
【０００２】
記載される実施形態は、概して、携帯電話デバイスなどの電子デバイスの筐体内に収容されるＳＩＭカードコネクタに関し、より具体的には、デュアルＳＩＭカードコネクタに関する。
【背景技術】
【０００３】
現在、携帯電話デバイスとして機能する多種多様な電子デバイスが存在する。そのような電子デバイスは、セルラー電話システムの加入者を識別し、認証するために使用される加入者識別モジュール（ＳＩＭ）カードを含むことができる。ＳＩＭカードは、ユーザがアクセスできるように構成することができるので、ユーザは、異なるＳＩＭカードを取り付けることによって、セルラープロバイダ、電子デバイスに割り当てられた電話番号を変更することができ、又は他のシステム構成の変更を行うことができる。更に、ユーザが異なるセルラープロバイダ、電話番号、又は他のシステム構成をより都合よく変更又は切り替えることができるように、電子デバイスが複数のＳＩＭカードを携行できることが望ましい場合がある。
【０００４】
いくつかの電子デバイスでは、任意選択で複数のＳＩＭカード（例えば、２つ以上のＳＩＭカード）を携行することが望ましい。ＳＩＭカードはトレイに保持してもよく、それをユーザが使用できるように、電子デバイスの外面からアクセス可能であってもよい。そのような用途では、電子デバイスの外側シェルを貫通する大きな貫通孔を必要としないように、ＳＩＭカードコネクタをコンパクトにすることが望ましい場合がある。更に、ＳＩＭカードコネクタは、電子デバイスへの水分侵入を阻止して、内部部品を損傷から保護するように構成することが有益であり得る。
【０００５】
新しいＳＩＭカードコネクタには、電子デバイスのシェルを貫通する貫通孔のサイズを縮小するために、水分の浸入を阻止する電子デバイスの能力を改善するために、そして電子デバイスが複数のＳＩＭカードを同時により便利に携行することを可能にするために、コネクタの新しい機能又は新しい実装方法が必要になる場合がある。
【発明の概要】
【０００６】
本発明のいくつかの実施形態は、１つ以上のＳＩＭカードを受容することができるＳＩＭカードコネクタに関する。ＳＩＭカードコネクタは、底面を有する下部コネクタ筐体部分及び上面を有する上部コネクタ筐体部分を含むことができる。上部コネクタ筐体部分は、下部コネクタ筐体部分に結合されて、上部コネクタ部分と下部コネクタ部分の間に開口部及び受容空間を画定する。開口部及び受容空間は、ＳＩＭカードトレイを摺動可能に受容するためのサイズ及び形状とされる。コネクタは、下部コネクタ筐体部分の底面に配置され、ＳＩＭカードトレイが受容空間内に受容された場合にＳＩＭカードトレイの第１の側部に配置された第１のＳＩＭカードと接触するように構成された第１の複数の電気接点を含む。コネクタは、上部コネクタ筐体部分の上面に配置され、ＳＩＭカードが受容空間内に受容された場合に第１の側部の反対にあるＳＩＭカードトレイの第２の側部に配置された第２のＳＩＭカードと接触するように構成された第２の複数の電気接点を含む。
【０００７】
いくつかの実施形態では、下部及び上部コネクタ筐体部分は一体的に形成されている。特定の実施形態では、上部コネクタ筐体部分は、一対の互いに反対にある側壁及び互いに反対にある側壁の間に延びる後壁を含む。互いに反対にある側壁、及び後壁は、上面から延び、下部コネクタ筐体部分に結合されるように構成されている。下部コネクタ筐体部分は、一対の互いに反対にある側壁、及び互いに反対にある側壁の間に延びる後壁を含むことができる。互いに反対にある側壁、及び後壁は、底面から延び、上部コネクタ筐体部分に結合されるように構成されている。様々な実施形態では、第１及び第２の複数の電気接点は、回路基板に電気的に接続されるように構成されている。更に別の実施形態では、ＳＩＭカードの各々は、ＳＩＭカードトレイが受容空間内のラッチ位置にある時、第１又は第２の複数の電気接点に接続されるように構成された複数のＳＩＭカード接点を有する。
【０００８】
特定の実施形態では、開口部は、上部及び下部コネクタ筐体部分の前面に配置されており、前面は、コネクタと筐体の間にシールが形成されるように、ガスケットにより電子デバイスの筐体に嵌合するように構成されている。様々な実施形態では、下部コネクタ筐体部分の底面は第１の傾斜面を含み、上部コネクタ筐体部分の上面は第２の傾斜面を含む。第１及び第２の傾斜面は、受容空間内に受容された場合に受容空間内でＳＩＭカードトレイの位置を維持するように構成されている。
【０００９】
他の実施形態では、ＳＩＭカードコネクタはＳＩＭカードトレイを含む。ＳＩＭカードトレイは、第１及び第２のＳＩＭカードを積層構成に保持して、それぞれのＳＩＭカードのＳＩＭカード接点が反対方向に向くように構成されている。ＳＩＭカードトレイは、第１及び第２のＳＩＭカードをそれぞれ保持する互いに反対にある側部にレセプタクルを含むことができる。ＳＩＭカードトレイのレセプタクルの各々は、後部面取りされた縁部を含むことができる。
【００１０】
いくつかの実施形態では、筐体と、空洞と連通する受容開口部を有する筐体内に配置されたコネクタエンクロージャと、を含む電子デバイスが提供される。電子デバイスは、加入者識別モジュール（ＳＩＭ）カードを保持し、受容開口部を介して空洞内に挿入されるように構成されたトレイ、及びコネクタエンクロージャの下面に配置された第１の複数の電気接点を含む。電子デバイスは、エンクロージャの上面に配置された第２の複数の電気接点を更に含み、第１又は第２の複数の電気接点の１つは、トレイが空洞内に受容された場合にＳＩＭカードと回路基板の間に複数の電気的接続を形成するように構成されている。いくつかの実施形態では、トレイは、１つのＳＩＭカードのみを保持するように構成されている。
【００１１】
様々な実施形態では、トレイは、第１及び第２のＳＩＭカードを積層構成に保持するように構成された互いに反対にある側部にレセプタクルを含み、トレイが空洞により受容された場合に、第１のＳＩＭカードの電気接点は第１の複数の電気接点と接触し、第２のＳＩＭカードの電気接点は第２の複数の電気接点と接触する。特定の実施形態では、レセプタクルの各々は、後部面取りされた縁部を含む。いくつかの実施形態では、レセプタクルの少なくとも１つは、第１又は第２のＳＩＭカードをレセプタクル内に固定するように構成された保持機構を含む。
いくつかの実施形態では、エンクロージャの上面及び下面はそれぞれ第１及び第２の傾斜面を含む。更なる実施形態では、電子デバイスは、コネクタエンクロージャの少なくとも一部分の上に配置されるように構成されたカバーを含む。
【００１２】
特定の実施形態では、互いに反対にある第１及び第２の側部を含む加入者識別モジュール（ＳＩＭ）トレイアセンブリが提供される。第１の側部上の第１のレセプタクルは、第１のＳＩＭカードを内部に保持するように構成されており、第２の側部上の第２のレセプタクルは、第１及び第２のＳＩＭカードを積層構成に保持するように、第２のＳＩＭカードを内部に保持するように構成されている。第１及び第２のレセプタクルの各々は、後部面取りされた縁部を含む。いくつかの実施形態では、レセプタクルの少なくとも１つは、第１又は第２のＳＩＭカードをレセプタクル内に固定するように構成された保持機構を含む。
【００１３】
本発明の性質及び利点の理解をより深めるために以下の説明及び添付図面を参照されたい。しかし、図の各々は、例示の目的のためのみに提供されており、本発明の範囲の限界の定義として意図されていないことを理解されたい。また、原則として、及び、明細書とは逆のことが明らかでない限り、異なる図中の要素が同じ参照番号が使用する場合、その要素は、概ね、機能又は目的において同一であるか、又は少なくとも類似しているかのいずれかである。
【図面の簡単な説明】
【００１４】
【図１】本発明の一実施形態に係る、デュアルＳＩＭカードコネクタを組み込んだ電子デバイスの正面斜視図である。
【００１５】
【図２Ａ】図１に示すデュアルＳＩＭカードコネクタの斜視図である。
【図２Ｂ】図１に示すデュアルＳＩＭカードコネクタの分解図である。
【００１６】
【図３Ａ】図２に示すＳＩＭカードトレイの底部斜視図である。
【図３Ｂ】ＳＩＭカードトレイの第１のレセプタクル内に保持された第１のＳＩＭカードを示す。
【００１７】
【図３Ｃ】図３ＡのＳＩＭカードトレイの上部斜視図である。
【００１８】
【図３Ｄ】ＳＩＭカードトレイの第２のレセプタクル内に配置された第２のＳＩＭカードを備える図３ＡのＳＩＭカードトレイの上部斜視図である。
【００１９】
【図４Ａ】取り外されたＳＩＭカードコネクタの部分及び設置位置に示されたＳＩＭカードトレイを有するＳＩＭカードコネクタの領域における、図１に示された電子デバイスの一部分の断面平面図である。
【００２０】
【図４Ｂ】図４Ａに示された電子デバイス及びＳＩＭカードコネクタの部分の断面図である。
【００２１】
【図４Ｃ】図４Ｂの詳細図である。
【発明を実施するための形態】
【００２２】
本発明のいくつかの実施形態は、ＳＩＭカードコネクタ及びそのようなコネクタを電子デバイスに使用する方法に関する。いくつかの実施形態は、ＳＩＭカードトレイを有するデュアルＳＩＭカードコネクタに関する。このＳＩＭカードコネクタは、電子デバイスの筐体を貫通する比較的小さな貫通孔を維持しながら、１つ以上のＳＩＭカードを保持するように構成されており、電子デバイスは筐体の強度を最大にする。更に、コネクタは、ＳＩＭカードコネクタが実質的に液密であるように形成することを可能にする。ＳＩＭカードコネクタは、電子デバイスの筐体にガスケットによりシールすることができるので、電子デバイスは、ＳＩＭカードコネクタを通る水分侵入から保護することができる。ＳＩＭカードコネクタは、１つ以上のＳＩＭカードを受容するか又は携行することができる。本発明は、多種多様な構成に有用であり得るが、本発明のいくつかの実施形態は、以下により詳細に記載されるように、２つのＳＩＭカードを積層構成に保持するように構成されたＳＩＭカードトレイを有するＳＩＭカードコネクタに対して特に有用である。
【００２３】
例えば、いくつかの実施形態では、射出成形プラスチックコネクタ筐体は、ＳＩＭカード又はＳＩＭカードトレイをコネクタ筐体の前部の受容開口部を介して受容する大きさの凹部を有することができる。ＳＩＭカードは、積層された若しくは背中合わせの構成又はレイアウトに配向することができる。スロットを、凹部に隣接するコネクタ筐体に配置してもよく、プッシュロッドを、直線的に並進できるようにスロット内に配置してもよい。エジェクタアームを、コネクタベースに枢動可能に結合し、プッシュロッドがコネクタの背面に向かって直線的に並進される場合に回転するように構成してもよい。次いで、エジェクタアームは、回転してＳＩＭカード又はＳＩＭカードトレイを押し、それを排出させることができる。カバーをコネクタベースの上に配置して、ＳＩＭカードコネクタに電磁シールドを形成するか、又は機械的安定性を提供することができる。本明細書に記載の積層構成は、直列形又は並列形のＳＩＭカードコネクタレイアウトの必要性を排除する。したがって、本明細書に記載のコネクタの実施形態は、筐体材料の除去の必要性をより少なくすることができ、及び／又は現在の設計よりも小さな設置面積を有することができる。
【００２４】
本発明に係る電子デバイスのＳＩＭカードコネクタの特徴及び態様をより良く理解するために、本発明の実施形態に係るＳＩＭカードコネクタの１つの特定の実装形態を論じることによって、本発明に関する更なる関連性が以下の段落で提供される。これらの実施形態は単なる例示に過ぎず、他の実施形態を、あらゆるタイプのコンピュータ、腕時計、メディアプレーヤ及び他のデバイスで使用されるものなどの、これらに限定されない、ＳＩＭカードコネクタに採用してもよい。
【００２５】
図１は、レセプタクルコネクタ１１５を有する外面１１０を有する筐体１０５を含む電子デバイス１００の例示的完成図を示す。電子デバイスは、入力構成要素としての多目的ボタン１２０、１つ以上のマイクロフォン１２５、１つ以上のスピーカ１３０、及び入力構成要素及び出力構成要素の両方としてのタッチスクリーンディスプレイ１３５を更に含むことができる。電子デバイス１００は、以下により詳細に記載されるように、ＳＩＭカードコネクタ１４５内に１つ以上のＳＩＭカード１４０も有する。いくつかの実施形態では、電子デバイス１００はセルラー電話として機能し、ＳＩＭカード１４０は、それぞれの電話ネットワーク上で電子デバイス１００を認証し、識別するために使用することができる。
【００２６】
ここで図２Ａ、図２Ｂを参照すると、ＳＩＭカードコネクタ１４５、ＳＩＭカードトレイ２０５、及びＳＩＭカード１４０（例えば、第１のＳＩＭカード１４０ａ及び第２のＳＩＭカード１４０ｂとして個別に識別される）の斜視図及び分解図がそれぞれ示されている。いくつかの実施形態では、第１のＳＩＭカード１４０ａは、ＳＩＭカードトレイ２０５の第１の側部内に嵌合することができる。第２のＳＩＭカード１４０ｂは、ＳＩＭカードトレイ２０５の第１の側部の反対にある第２の側部内に嵌合し、両ＳＩＭカード１４０は、ＳＩＭカードトレイ２０５に固定された場合に積層構成で配置することができる。他の実施形態では、第２のＳＩＭカード１４０ｂは、第１の側部内にも嵌合することができ、第１のＳＩＭカード１４０ａは、ＳＩＭカードトレイ２０５の第２の側部内に嵌合することができる。いくつかの実施形態では、第１及び第２のＳＩＭカード１４０は、同じ形式のＳＩＭカード（例えば、標準、マイクロ、ナノＳＩＭカード）である。他の実施形態では、第１及び第２のＳＩＭカード１４０は、異なる形式のＳＩＭカードである。更に別の実施形態では、第１又は第２のＳＩＭカード１４０ａ又は１４０ｂの１つのみが、ＳＩＭカードトレイ２０５の第１又は第２の側部の１つに配置される。ＳＩＭカードトレイ２０５は、以下により詳細に説明されるように、ＳＩＭカードコネクタ１４５によって受容することができる。
【００２７】
ＳＩＭカードコネクタ１４５は、コネクタ筐体２１０（例えば、エンクロージャ）を含む。コネクタ筐体２１０は、互いに反対にある第１及び第２の側壁２２０、２２５、及び筐体２１０の上面及び底面と、互いに反対にある第１及び第２の側壁２２０、２２５の間に延びる後壁２３０を含むことができる。ＳＩＭカードコネクタ１４５は、後壁２３０の反対にある前面２３５を更に有することができる。更に、コネクタ筐体２１０は、前面２３５に受容開口部２４５を有する空洞２４０（例えば、受容空間、凹部、レセプタクル）を画定する。いくつかの実施形態では、受容開口部２４５は、コネクタ筐体２１０の上面、底面、及び互いに反対にある側壁によって画定される。空洞２４０は、受容開口部２４５を介してＳＩＭカードトレイ２０５を受容するような寸法及び形状にすることができる。様々な実施形態では、１つ以上のＳＩＭカード１４０をＳＩＭカードトレイ２０５内に保持することができ、受容開口部２４５を介して空洞２４０内に受容することができる。他の実施形態では、ＳＩＭカード１４０はトレイを有さなくてもよく、受容開口部２４５を介して空洞２４０内に直接受容してもよい。
【００２８】
コネクタ筐体２１０は、下部コネクタ筐体部２１０ａ及び上部コネクタ筐体部２１０ｂを含むことができる。いくつかの実施形態では、下部コネクタ筐体部分及び上部コネクタ筐体部分は、互いに結合又は取り付けられるように構成された別個の構成要素である。例えば、それらは、物理的又は機械的に接合された別個の構成要素であってもよい。他の実施形態では、下部コネクタ筐体部分と上部コネクタ筐体部分は、一体的に形成されるか、又は一体型ユニボディ筐体の一部である。いくつかの実施形態では、下部コネクタ筐体部分２１０ａは、底面２１５ａ、互いに反対にある第１及び第２の側壁２２０ａ、２２５ａ、並びに互いに反対にある第１の側壁と第２の側壁との間に延びる後壁２３０ａを含む。第１及び第２の側壁２２０ａ、２２５ａ及び後壁２３０ａは、底面２１５ａから延びる。上部コネクタ筐体部分２１０ｂは、上面２１５ｂ、互いに反対にある第１及び第２の側壁２２０ｂ、２２５ｂ、並びに互いに反対にある第１の側壁と第２の側壁との間に延びる後壁２３０ｂを含む。第１及び第２の側壁２２０ｂ、２２５ｂ並びに後壁２３０ｂは、上面２１５ｂから延びる。更に、下部コネクタ筐体部２１０ａ、２１０ｂは、下部及び上部前面部２３５ａ、２３５ｂを含むことができる。
【００２９】
上部コネクタ筐体部分２１０ｂは、下部コネクタ筐体部分２１０ａに結合又は取り付けられるように構成されている。いくつかの実施形態では、上部コネクタ筐体部分２１０ｂの後壁２３０ｂ及び互いに反対にある側壁２２０ｂ、２２５ｂは、上部コネクタ筐体部分が組み立てられた構成で下部コネクタ筐体部分の上に配置された場合に、下部コネクタ筐体部分２１０ａのそれぞれの後壁２３０ａ及び互いに反対にある側壁２２０ａ、２２５ａに少なくとも部分的に重なるか、又はそれの上に延びる。更に、上下コネクタ筐体２１０は、前面２３５に受容開口部２４５を有するキャビティ２４０を画定してもよい。いくつかの実施形態では、受容開口部２４５は、上面２１５ｂ、底面２１５ａ、及び互いに反対にある側壁（例えば、側壁２２０ａ、２２５ａ）によって画定される。上述のように、空洞２４０は、受容開口部２４５を介してＳＩＭカードトレイ２０５を受容するような寸法及び形状にすることができる。他の実施形態では、ＳＩＭカード１４０は、受容開口部２４５を介して空洞２４０に直接受容してもよい。様々な実施形態では、コネクタ筐体２１０（例えば、上部又は下部コネクタ筐体部分２１０ａ、２１０ｂ）は、液晶ポリマーなどのプラスチック材料から作製してもよい。
【００３０】
ＳＩＭカードコネクタ１４５は、複数の電気接点２５０を含むことができる。いくつかの実施形態では、複数の電気接点２５０は、コネクタ筐体２１０の底面にある第１の複数の電気接点２５０（例えば、第１のＳＩＭカード上の複数のＳＩＭ接点２５２と電気的触をするように構成されるような位置に）、及びコネクタ筐体２１０の上面にある第２の複数の電気接点２５０（例えば、第２のＳＩＭカード上の複数のＳＩＭ接点２５２と電気的触をするように構成されるような位置に）を含む。例えば、第１の複数の電気接点２５０ａは、第１のＳＩＭカードが部分的に又は完全に空洞２４０に挿入された場合に、それらが第１のＳＩＭカード（例えば、第１のＳＩＭカード１４０ａ）上の複数のＳＩＭカード接点２５２と電気接触するような位置で、下部コネクタ筐体部分２１０ａの底面２１５ａに配置してもよい。第２の複数の電気接点２５０ｂは、第２のＳＩＭカード（例えば、第２のＳＩＭカード１４０ｂ）上の複数のＳＩＭカード接点２５２と電気接触するような位置で、上部コネクタ筐体部分２１０ｂの上面２１５ｂに配置してもよい。様々な実施形態では、複数の電気接点２５０は、それぞれの上部及び下部コネクタ筐体部分２１０ａ、２１０ｂ内にインサート成形してもよく、いくつかの実施形態では、スナップ嵌合などの他の手段でコネクタ筐体部分によって保持してもよい。いくつかの実施形態では、複数の電気接点２５０は、銅合金などの金属から作製してもよく、ニッケル又は金などの１つ以上の金属でメッキしてもよい。複数の電気接点２５０は、以下により詳細に記載するように、１つ以上のＳＩＭカード１４０の対応するＳＩＭカード接点２５２及び電子回路１００のプリント回路基板（例えば、メインロジックボード）と、電気通信するように構成してもよい。
【００３１】
上述のように、１つ以上のＳＩＭカード１４０（例えば、１つ又は２つのＳＩＭカード）をＳＩＭカードトレイ２０５内に（例えば、ＳＩＭカードトレイ２０５の互いに反対にある側部に）保持することができる。ＳＩＭカードトレイ２０５は、第１の側部２５５ａに第１のレセプタクル２５６ａ、及び第１の側部２５５ａの反対にある第２の側部２５５ｂに第２のレセプタクル２５６ｂを有するフレーム２５４を含むことができる。ＳＩＭカードトレイ２０５は、第１のＳＩＭカード（例えば、第１のＳＩＭカード１４０ａ）及び第２のＳＩＭカード（例えば、第２のＳＩＭカード１４０ｂ）を第１及び第２のレセプタクル２５６ａ、２５６ｂ内にそれぞれ保持するように構成されている。ＳＩＭカード１４０は、それぞれのＳＩＭカード接点（例えば、２５２ａ及び２５２ｂ）が、互いに反対方向に向くように（例えば、互いから離れて）、「背中合わせ」又は「積層」構成（例えば、それらは実質的に同じ水平面に配置されていない）で保持される。ＳＩＭカードトレイ２０５は、両方のＳＩＭカード１４０を同時に、又は単一のＳＩＭカード（例えば、第１又は第２のレセプタクル２５６ａ、２５６ｂのうちの１つの中の第１又は第２のＳＩＭカード１４０ａ、１４０ｂ）のみを保持することができる。第１のＳＩＭカード１４０ａが第１のレセプタクル２５６ａに保持され、第２のＳＩＭカード１４０ｂが第２のレセプタクル２５６ｂに保持されるように図示されているが、他の実施形態では、ＳＩＭカード１４０は、第１のレセプタクル２５６ａ又は第２のレセプタクル２５６ｂのいずれかに、ユーザの所望のように保持することができる。更に他の実施形態では、第１及び第２のレセプタクル２５６は、上述のように異なるタイプのＳＩＭカードを保持するように構成してもよい。
【００３２】
図示の実施形態では、第１のＳＩＭカード１４０ａは、第１のレセプタクル２５６ａに保持されるように、保持されるか又は構成されており、ＳＩＭカードトレイ２５０がＳＩＭカードコネクタ１４５の空洞２４０内に部分的に又は完全に受容された場合に、ＳＩＭカード接点２５２ａは第１の複数の電気的接点２５０ａにアクセス可能である（例えば、嵌合または接触する）。同様に、第２のＳＩＭカード１４０ｂが第２のレセプタクル２５６ｂに保持されている場合、ＳＩＭカードトレイ２５０がＳＩＭカードコネクタ１４５の空洞２４０内に部分的又は完全に受容された時、ＳＩＭカード接点２５２ｂは第２の複数の電気接点２５０ｂにアクセス可能である。しかし、他の実施形態では、ＳＩＭカード１４０ａが第２のレセプタクル２５６ｂに保持される場合、ＳＩＭカード接点２５２ａは第２の複数の電気接点２５０ｂにアクセス可能である。同様に、第２のＳＩＭカード１４０ｂが第１のレセプタクル２５６ａに保持されている場合、ＳＩＭカード接点２５２ｂは第１の複数の電気接点２５０ａにアクセス可能である。更に、様々な実施形態では、ＳＩＭカードコネクタは、トレイの上側又は下側のいずれかに単一のレセプタクルのみを備えた（例えば、単一のＳＩＭカードトレイのみを保持するように構成された）ＳＩＭカードトレイを受容するようにも構成することができる。このようにして、ＳＩＭカードコネクタ１４５は、デュアル及び／又は単一のＳＩＭカードトレイを受容する（例えば、それらの間に互換性を提供する）ことができる。
【００３３】
ＳＩＭカードトレイ２０５のフレーム２５４は、第１及び第２のレセプタクル２５６ａ、２５６ｂを貫通して延びる窪んだ開口部２４２（例えば、窓）を含むことができる。開口部２４２は、図３Ａ〜図３Ｄを参照して以下により詳細に記載するように、ユーザがトレイレセプタクル２５６の１つに保持又は確保されたＳＩＭカードをより容易に取り外すことを可能にする。ＳＩＭカードトレイ２０５に開口部２４２を含めることにより、材料コスト及びトレイ２０５の重量も低減することができる。更に、様々な実施形態では、ＳＩＭカードトレイ２０５は、以下により詳細に記載するように、開口２６０を有するフェースプレート２５８も有することができる。いくつかの実施形態では、ＳＩＭカードトレイ２０５は、アルミニウム又はステンレス鋼などの金属から作製することができるが、これらに限定されない。様々な実施形態では、ＳＩＭカードトレイ２０５は、プラスチック材料から作製することができる。
【００３４】
図３Ａ〜図３Ｄを参照すると、ＳＩＭカードトレイ２０５のレセプタクル２５６の少なくとも１つは、それぞれのレセプタクル内にＳＩＭカード１４０の１つを保持又は固定するように構成された保持機構２４３を含むことができる。例えば、トレイ２０５の背面又は底面のレセプタクル２５６ａは、ＳＩＭカード１４０ａ又は１４０ｂをトレイ２０５内の所定の位置に固定する保持機構２４３を含む。図３Ｂ〜図３Ｃに示すように、保持機構２４３は、トレイ２０５が「右側を上に」向けてＳＩＭカードコネクタ１４５に挿入された場合にそれが落下しないように、ＳＩＭカード１４０をレセプタクル２５６ａ内に保持するように構成されている。トレイ２０５の前側又は上側は、レセプタクル２５６ｂが上方に向けられてＳＩＭカードを保持するので、保持機構２４３を必要としない場合がある。しかしながら、いくつかの実施形態では、レセプタクル２５６ｂは、レセプタクル内のＳＩＭカード１４０の固定の改善のための保持機構２４３も含む。いくつかの実施形態では、保持機構２４３は、例えば、成形プラスチックばね、エラストマばね、液体シリコーンゴムばね、金属ばね、プラスチック保持要素、又はそれらの任意の組み合わせを含むことができる。
【００３５】
上述のように、ＳＩＭカードトレイ２０５は、窪んだ開口部２４２を含むことができる。図３Ｃに示すように、窪んだ開口部２４２は、ユーザが、ＳＩＭカードトレイ２０５からＳＩＭカード（例えばトレイレセプタクル２５６ａ内の保持機構２４３によって保持されたＳＩＭカード１４０ａ）を取り出すか又は排出するために、開口部２４２を突くか又は押すことを可能にする。開口部２４２は、ＳＩＭカードトレイ２０５に柔軟性の改善を提供することができ、ユーザはトレイ２０５を曲げるか又は捩って、固定又は保持されたＳＩＭカード１４０を取り外すことができる。更に、様々な実施形態では、レセプタクル２５６の１つ又は両方は、面取りされた（例えば、スロープのついた、傾斜した、斜めの）後縁部２４４を含むことができる（図４Ｂ、図４Ｃ参照）。面取りされた後縁部２４４は、それぞれの容器２５６の互いに反対にある側部の間に延びる。そのような面取りされた後縁部２４４は、以下により詳細に記載するように、ＳＩＭカードトレイ２０５がＳＩＭカードコネクタ１４５から排出されるか、又は取り外されたときに、ＳＩＭカードトレイ２０５がコネクタ筐体２１０の一部分（例えば、電気接点２５０）に絡まる（例えば、もつれる）可能性を減少させることができる。
【００３６】
再び図２Ａ及び図２Ｂを参照すると、いくつかの実施形態では、カバー２８４（例えば、シールド）をコネクタ筐体２１０に固定しその上に配置して、機械的安定性及び／又は電磁シールドを提供することができる。いくつかの実施形態では、カバー２８４は、銅系合金又はステンレス鋼などの金属から作製することができる。いくつかの実施形態では、コネクタ筐体２１０内の１つ以上のラッチ２９２（例えば、一対のラッチ）は、ラッチ位置にある場合にＳＩＭカードトレイ２０５を空洞２８６内に固定するように構成してもよく、ＳＩＭカードトレイ排出機構２６２は、以下により詳細に記載するように、ラッチ位置からＳＩＭカードトレイを排出するように構成してもよい。
【００３７】
ＳＩＭカードコネクタ１４５は、ＳＩＭカードトレイ排出機構２６２を有してもよく、この排出機構は、ＳＩＭカードコネクタ１４５内に収容されており、起動時にＳＩＭカードトレイ２０５を排出して、ユーザがアクセスできるようにＳＩＭカードトレイを受容開口部２４５から突出させるように構成されている。ＳＩＭカードトレイ排出機構２６２は、プッシュロッド２６４、及びコネクタ筐体２１０（例えば、下部コネクタ筐体部分２１０ａ）に枢動可能に結合されたエジェクタアーム２６６を含むことができる。プッシュロッド２６４は、コネクタ筐体２１０内に配置されたスロットに配置してもよい。スロットは、底面２１５（例えば、下部コネクタ筐体部分２１０ａの底面２１５ａ）から空洞２４０内に延びてもよく、第１の側壁２２０（例えば、第１の側壁２２０ａ）の一部分に隣接してそれに沿って配置してもよい。プッシュロッド２６４は、スロット内で直線的に並進してエジェクタアーム２６６に接触するように構成してもよい。いくつかの実施形態では、エジェクタアーム２６６は、以下に記載されるように、ＳＩＭカードトレイ２０５を排出するためにプッシュロッド２６４によって作動されるように構成してもよい。いくつかの実施形態では、ＳＩＭカード排出機構２６２は、本開示の範囲から逸脱することなく、異なる構成を有してもよい。
【００３８】
ここで図４Ａを参照すると、ＳＩＭカードコネクタ１４５の領域における電子デバイス１００の筐体１０５の断面が図示されており、ＳＩＭカードコネクタ内のラッチ位置にあるＳＩＭカードトレイ２０５の平面図が示されている。明確にするために、カバー２８４及び上部コネクタ筐体２１０ｂが取り外され、ＳＩＭカードトレイ２０５及びＳＩＭカード１４０が隠線で示されている。上述のように、いくつかの実施形態では、ラッチ２９２は空洞２４０の１つ以上の側壁２２０、２２５から突出してもよく、ＳＩＭカードフレーム２５４内の対応する凹部２０６内に嵌合することによってＳＩＭカードトレイ２０５を空洞内に固定する。様々な実施形態では、ラッチ２９２は、コネクタ筐体２１０の一部分であってもよく、コネクタ筐体に固定された別個の金属部材であってもよい。いくつかの実施形態では、異なるラッチ機構、例えばオーバーモールドされた金属ばねが使用されてもよい。
【００３９】
ラッチ位置にある間、ＳＩＭカードトレイ２０５は、ＳＩＭカード１４０を設置位置に保持してもよく、空洞２４０内に配置された複数の電気接点２５０は、ＳＩＭカード１４０が第１のレセプタクル、第２のレセプタクル、又は両方のレセプタクルに保持されているかどうかによって、複数のＳＩＭカード接点２５２と接触する。ラッチ位置にある間、いくつかの実施形態では、ＳＩＭカードトレイ２０５のフェースプレート２５８は、電子デバイス１００の外面１１０の一部分を形成することができる。様々な実施形態では、ＳＩＭカードトレイ２０５は、電子デバイス内に、又はこれに限定されないが、電池区画などの電子デバイスの区画内に配置することができる。いくつかの実施形態では、複数の電気接点２５０は、ＳＩＭカード接点２５２と接触し、回路基板４２０に結合するように構成してもよく、回路基板上の回路は１つ以上のＳＩＭカード１４０内の回路と通信することができる。様々な実施形態では、ＳＩＭカード１４０の各々は、移動電話デバイスの加入者を識別し、認証するために使用される国際移動加入者識別（ＩＭＳＩ）番号及びその関連キーをセキュアに記憶する集積回路チップを収容することができる。様々な実施形態では、連絡先又は他の情報もＳＩＭカード１４０に記憶することができる。
【００４０】
上述のように、いくつかの実施形態では、ＳＩＭカードトレイ排出機構２６２（図２Ｂ参照）をＳＩＭカードコネクタ１４５内に完全に収容することができる。これは、以下により詳細に説明されるように、電子デバイス１００の筐体１０５をより小さく貫通する貫通孔と、ＳＩＭカードコネクタ１４５を筐体にシールする能力の両方が、電子デバイス１００への水分侵入を妨げることを可能する。いくつかの実施形態では、電子デバイス１００の筐体１０５は、電子デバイスの主要な構造的構成要素として機能することができる。その結果、ＳＩＭカードコネクタ１４５の筐体を貫通する貫通孔のサイズが小さくなるほど、筐体の強度は高くなる。様々な実施形態では、ＳＩＭカードコネクタ１４５内にＳＩＭカードトレイ排出機構２６２（図２Ｂ参照）を一体化することによって、筐体１０５内の貫通孔は、ＳＩＭカードトレイ２０５が筐体内外に摺動するのに十分な大きさであるだけでよい。したがって、例えば、ＳＩＭカードコネクタの上方又は下方に配置される外部排出機構を有することになる代替設計と比較して、追加の筐体材料を除去する必要がなくなる。更に、いくつかの実施形態では、積層されたＳＩＭカードコネクタ１４５及び対応するトレイを有することは、複数のＳＩＭカードを保持するための並列形又は直列形ＳＩＭカードコネクタ及びトレイ設計に対して、除去すべき筐体材料の量を低減するか又は最小限に抑えることができる。
【００４１】
更に、いくつかの実施形態では、ＳＩＭカードトレイ排出機構２６２（図２Ｂ参照）をＳＩＭカードコネクタ１４５内に一体化することによって、外部排出機構がＳＩＭカードコネクタ１４５内のＳＩＭカードトレイ２０５と相互作用する必要はないので、コネクタエンクロージャを実質的にシールすることができる。いくつかの実施形態では、ＳＩＭカードコネクタ１４５と電子デバイス１００の筐体１０５の間にガスケット４２５を配置することができ、ＳＩＭカードコネクタを筐体にシールことができる。空洞２４０は、水分が電子デバイス１００の内部に入ることができないように、筐体１０５に対して実質的に閉鎖し、シールすることができる。これは、電子デバイス１００の水分暴露に耐える能力を向上させることができる。様々な実施形態では、ガスケット４２５は、エラストマ又は発泡材料から作製してもよく、１つ以上の感圧接着剤（ＰＳＡ）の層を有してもよい。
【００４２】
上述のように、図４ＡはＳＩＭカードトレイ２０５を、設置された位置で示し、フェースプレート２５８は、電子デバイス１００の外面１１０と実質的に同一平面上にあり、実質的に連続した審美的に快適な外面を提供することができる。ＳＩＭカードトレイ２０５を排出するために、いくつかの実施形態では、排出ツール４３０を、電子デバイス１００の外部に配置して、これがフェースプレート２５８内の開口部２６０を貫通し、プッシュロッドが後壁２３０に向かって第１の方向（例えば、矢印Ａで示すように）に直線的に並進されるようにプッシュロッド２６４の頭部２７２を押すことができるように、配向してもよい。図２Ｂに示すように、いくつかの実施形態では、頭部２７２は、ツールが押された場合に、ツール４３０が頭部に位置したままであり、側部から滑り落ちないように補助する凹部２７４を有することができる。
【００４３】
プッシュロッド２６４が後壁２３０に向かって直線的に並進されると、接触部分２７６は、エジェクタアーム２６６のプッシュロッド接触部分２７８を押す。エジェクタアーム２６６のプッシュロッド接触部分２７８にかかる力は、エジェクタアームをピン２７０の周りで時計回り方向に枢動させ、その結果、エジェクタアームのトレイ排出部分２８０は、後壁２３０から離れた第２の方向（例えば、第１の方向とは反対の）に移動する。トレイ排出部２８０が、後壁２３０から離れて移動し続けると、それはＳＩＭカードトレイ２０５に接触し、第２の方向の排出力をＳＩＭカードトレイに適用する。ＳＩＭカードトレイ２０５上の排出力が１つ以上のラッチ２９２によって適用された保持力に打ち勝つと、ＳＩＭカードトレイが排出され、ユーザはＳＩＭカードトレイを把持し、空洞２４０からそれを完全に取り外すことができる。ユーザは、１つ以上のラッチ２９２が係合されるまで、ＳＩＭカードトレイを受容開口部２４５を介して摺動させ、空洞２４０内に押すことによって、１つ以上のＳＩＭカード１４０及びＳＩＭカードトレイ２０５を設置することができる。
【００４４】
ここで図４Ｂ、図４Ｃを参照すると、図４ＡのＳＩＭカードコネクタ１４５内でラッチ位置にあるＳＩＭカードトレイ２０５の平面図の断面図と詳細図が、それぞれ示されている。上で説明し、図４Ｂ、図４Ｃに示したように、ＳＩＭカードトレイ２０５の互いに反対にある側部上のレセプタクル２５６ａ、２５６ｂの各々は、後部面取りされた縁部２４４を含むことができる。トレイ２０５がコネクタ１４５から（例えば、空洞２４０の第２の方向に）排出されると、面取りされた縁部２４４は角度を付され、トレイ２０５は、電気接点２５０に引っ掛かったり、削ったりすることなく、電気接点２５０を通過して空洞２４０から第２の方向により容易に摺動することができる。
【００４５】
更に、様々な実施形態では、コネクタ筐体２１０は、傾斜面２４６を含むことができる。例えば、下部及び上部コネクタ筐体部分２１０ａ、２１０ｂの各々は、対応する後部傾斜面（例えば、下部及び上部傾斜面２４６ａ、２４６ｂとして個々に識別される）を含むことができる。傾斜面２４６は、単一のＳＩＭカード又はデュアルＳＩＭカード１４０がトレイ２０５内に保持されているかどうかにかかわらず、コネクタ筐体２１０内のトレイ２０５の所望の深さ又は位置（例えば、Ｚ軸に沿った）を実質的に確保又は維持することができる。図４Ｂ、図４Ｃに示すように、ＳＩＭカード１４０ａ及び１４０ｂがトレイ２０５の各レセプタクル２５６に保持されると、各接点２５０からの付勢力Ｆがトレイ２０５上で平衡する。それぞれ、接点２５０ａがＳＩＭカード１４０ａ及び１４０ｂを押し上げ、接点２５０ｂが押し下げる。単一のＳＩＭカード１４０だけが、デュアルＳＩＭカードトレイのレセプタクル２５６のうちの１つに保持される場合、又は単一のレセプタクルとＳＩＭカードだけを有するＳＩＭカードトレイが挿入される場合の、トレイ２０５への付勢力が比較的不平衡になる可能性がある。すなわち、接点２５０の１つの組だけ（例えば、接点２５０ａ又は接点２５０ｂのいずれか）が、トレイに保持された単一のＳＩＭカード１４０に対して付勢される。この不平衡な付勢力は、対応する電気接点２５０とＳＩＭカード接点２５２の間の適切な接触が維持されないように、トレイ２０５を所望の深さ又は位置から押し出すことがある。したがって、傾斜面２４６は、単一のＳＩＭカード１４０又は２枚のＳＩＭカード１４０を有するトレイがコネクタに挿入されているかどうかにかかわらず、接触が維持されるように（例えば、接点２５０、２５２の間に）、トレイ２０５の所望の位置を案内するか又は維持するのに役立ち得る。
【００４６】
電子デバイス１００（図１参照）は１つの特定の電子デバイス（すなわち、セルラー電話）として記載され、図示されているが、本発明の実施形態は多数の電子デバイスとともに使用するのに適している。例えば、オーディオ信号、ビデオ信号、又はデータ信号を受信又は送信する任意のデバイスを本発明とともに使用することができる。いくつかの場合、本発明の実施形態は、潜在的に小さいフォームファクタのために、セルラー電話を含むポータブル電子メディアデバイスとともに使用するのに特によく適している。本明細書で使用される場合、電子メディアデバイスは、人間が知覚可能なメディアを提示するために使用され得る、少なくとも１つの電子構成要素を有する任意のデバイスを含む。そのようなデバイスとしては、例えば、ポータブル音楽プレーヤ（例えば、ＭＰ３デバイス、及びＡｐｐｌｅのｉＰｏｄデバイス）、ポータブルビデオプレーヤ（例えば、ポータブルＤＶＤプレーヤ）、セルラー電話（例えば、ＡｐｐｌｅのｉＰｈｏｎｅデバイスなどのスマートフォン）、ビデオカメラ、デジタルスチルカメラ、投影システム（例えば、ホログラフィック投影システム）、ゲームシステム、ＰＤＡ、及びタブレット（例えば、ＡｐｐｌｅのｉＰａｄデバイス）、ラップトップコンピュータ又は他のモバイルコンピュータを挙げることができる。これらのデバイスのいくつかは、オーディオ、ビデオ、又は他のデータ若しくは感覚出力を提供するように構成され得る。
【００４７】
簡単にするために、制御回路、グラフィック回路、バス、メモリ、記憶デバイス、及び電子デバイス１００（図１参照）の他の構成要素などの様々な内部構成要素は、図示されていない。
【００４８】
前述のことから、本発明の特定の実施形態が本明細書には説明のために記載されているが、本発明の様々な実施形態の精神及び範囲から逸脱することなく様々な修正がなされ得ることが理解されよう。更に、本発明の特定の実施形態に関連付けられた様々な利点を、それらの実施形態に関連して上述したが、他の実施形態もそのような利点を示すことができ、すべての実施形態が必ずしも本発明の範囲内に入るような利点を示す必要はない。したがって、添付の特許請求の範囲による場合を除いて、本発明は限定されない。
【００４９】
上記の記載全体を通じて、特徴、利点、又は同様の言語への言及は、本発明によって実現され得るすべての特徴及び利点が本発明の任意の単一の実施形態内にあるべきか、又はあることを意味するものではない。むしろ、特徴及び利点を参照する言語は、実施形態に関連して記載された特定の特徴、利点又は特性が本発明の少なくとも１つの実施形態に含まれることを意味すると理解される。したがって、本明細書全体を通して、特徴及び利点、及び同様の言語についての説明は、必ずしも同じ実施形態を参照する必要はない。
【００５０】
更に、本発明の記載された特徴、利点、及び特徴は、１つ以上の実施形態において任意の適切な方法で組み合わせられ得る。当業者は、特定の実施形態の特定の特徴又は利点の１つ以上を用いずに本発明を実施できることを認識するであろう。他の場合には、追加の特徴及び利点が、本発明のすべての実施形態に存在しない可能性がある特定の実施形態において認識され得る。
【００５１】
文脈が許容する限り、単数又は複数を用いた上記の発明を実施するための形態における単語は、それぞれ複数又は単数も含み得る。２つ以上の項目のリストを参照して、単語「ｏｒ」は、以下の単語の解釈のすべてをカバーする：リスト内の任意の項目、リスト内のすべての項目、及びリスト内の項目の任意の組み合わせ。
【００５２】
更に、「底部」又は「上部」などの、空間的に相対的な用語は、例えば、図に示すように、要素及び／又は特徴の、別の要素及び／又は特徴に対する関係を記載するために使用され得る。空間的に相対的な用語は、図に描かれている向きに加えて、使用及び／又は動作中のデバイスの異なる向きを包含することを意図されていることが理解されよう。例えば、図中のデバイスがひっくり返されている場合、「底」面と記載された要素は、次いで、他の要素又は特徴の「上に」向けられ得る。デバイスを、別の方法では他の方向に向ける（例えば、９０度回転させる、又は他の方向に回転させる）ことができ、本明細書で使用される空間的に相対的な記述子はそれにしたがって解釈される。
【図１】
2019153573.tif 000003
【図２Ａ】
2019153573.tif 000004
【図２Ｂ】
2019153573.tif 000005
【図３Ａ】
2019153573.tif 000006
【図３Ｂ】
2019153573.tif 000007
【図３Ｃ】
2019153573.tif 000008
【図３Ｄ】
2019153573.tif 000009
【図４Ａ】
2019153573.tif 000010
【図４Ｂ】
2019153573.tif 000011
【図４Ｃ】
2019153573.tif 000012
【手続補正書】
【提出日】平成30年10月2日(2018.10.2)
【手続補正１】
【補正対象書類名】特許請求の範囲
【補正対象項目名】全文
【補正方法】変更
【補正の内容】
【特許請求の範囲】
【請求項１】
デュアル加入者識別モジュール（ＳＩＭ）カードコネクタであって、
底面を有する下部コネクタ筐体部分と、
上面を有する上部コネクタ筐体部分であって、前記上部コネクタ筐体部分は前記下部コネクタ筐体部分に結合されて前記上部コネクタ筐体部分と下部コネクタ筐体部分との間に受容空間に対する開口部を画定し、前記開口部及び前記受容空間は、ＳＩＭカードトレイを摺動可能に受容するように寸法設定及び形状付与されている、上部コネクタ筐体部分と、
前記下部コネクタ筐体部分の前記底面に配置されており、前記ＳＩＭカードトレイが前記受容空間内に受容された場合に前記ＳＩＭカードトレイの第１の側部に配置された第１のＳＩＭカードと接触するように構成された第１の複数の電気接点と、
前記上部コネクタ筐体部分の前記上面に配置されており、前記ＳＩＭカードトレイが前記受容空間内に受容された場合に前記第１の側部の反対にある前記ＳＩＭカードトレイの第２の側部に配置された第２のＳＩＭカードと接触するように構成された第２の複数の電気接点と、を備える、ＳＩＭカードコネクタ。
【請求項２】
前記下部及び上部コネクタ筐体部分は一体的に形成されている、請求項１に記載のＳＩＭカードコネクタ。
【請求項３】
前記上部コネクタ筐体部分は、一対の互いに反対にある側壁及び前記互いに反対にある側壁の間に延びる後壁を含み、前記互いに反対にある側壁及び後壁は、前記上面から延び、前記下部コネクタ筐体部分に結合されるように構成されている、請求項１に記載のＳＩＭカードコネクタ。
【請求項４】
前記下部コネクタ筐体部分は、一対の互いに反対にある側壁及び前記互いに反対にある側壁の間に延びる後壁を含み、前記互いに反対にある側壁及び後壁は、前記底面から延び、前記上部コネクタ筐体部分に結合されるように構成されている、請求項１に記載のＳＩＭカードコネクタ。
【請求項５】
前記第１及び第２の複数の電気接点は、回路基板に電気的に接続されるように構成されている、請求項１に記載のＳＩＭカードコネクタ。
【請求項６】
前記ＳＩＭカードの各々は、前記ＳＩＭカードトレイが前記受容空間内のラッチ位置にある場合に、前記第１又は第２の複数の電気接点に接続されるように構成された複数のＳＩＭカード接点を有する、請求項１に記載のＳＩＭカードコネクタ。
【請求項７】
前記開口部は、前記上部及び下部コネクタ筐体部分の前面に配置されており、前記前面は、前記ＳＩＭカードコネクタと電子デバイスの筐体との間にシールが形成されるように、ガスケットにより前記電子デバイスの前記筐体と嵌合するように構成されている、請求項１に記載のＳＩＭカードコネクタ。
【請求項８】
前記下部コネクタ筐体部分の前記底面は、第１の傾斜面を含み、前記上部コネクタ筐体部分の前記上面は、第２の傾斜面を含み、前記第１及び第２の傾斜面は、前記ＳＩＭカードトレイが前記受容空間内に受容されている場合に、前記ＳＩＭカードトレイの位置を維持するように構成されている、請求項１に記載のＳＩＭカードコネクタ。
【請求項９】
前記ＳＩＭカードトレイを更に備え、前記ＳＩＭカードトレイは、前記第１及び第２のＳＩＭカードを、それぞれのＳＩＭカードのＳＩＭカード接点が反対方向を向くように積層された構成に保持するように構成されている、請求項１から８のいずれか一項に記載のＳＩＭカードコネクタ。
【請求項１０】
前記ＳＩＭカードトレイは、前記第１及び第２のＳＩＭカードをそれぞれ保持するように構成された、互いに反対側にあるレセプタクルを含む、請求項９に記載のＳＩＭカードコネクタ。
【請求項１１】
前記ＳＩＭカードトレイの前記レセプタクルの各々は、後部面取りされた縁部を含む、請求項１０に記載のＳＩＭカードコネクタ。
【請求項１２】
筐体と、
前記筐体内に配置されており、空洞と連通する受容開口部を有するコネクタエンクロージャと、
加入者識別モジュール（ＳＩＭ）カードを保持し、前記受容開口部を介して前記空洞内に挿入されるように構成されたトレイと、
前記コネクタエンクロージャの下面に配置された第１の複数の電気接点と、
前記コネクタエンクロージャの上面に配置された第２の複数の電気接点であって、前記第１又は第２の複数の電気接点の１つは、前記トレイが前記空洞内に受容された場合に前記ＳＩＭカードと回路基板の間に複数の電気的接続を形成するように構成されている、第２の複数の電気接点と、を備える電子デバイス。
【請求項１３】
前記トレイは、１つのＳＩＭカードのみを保持するように構成されている、請求項１２に記載の電子デバイス。
【請求項１４】
前記トレイは、第１及び第２のＳＩＭカードを、前記トレイが空洞内に受容された場合に、前記第１のＳＩＭカードの電気接点が前記第１の複数の電気接点と接触し、前記第２のＳＩＭカードの電気接点が前記第２の複数の電気接点と接触するように積層された構成に保持するように構成された、互いに反対側にあるレセプタクルを含む、請求項１２に記載の電子デバイス。
【請求項１５】
前記トレイの前記レセプタクルの各々は、後部面取りされた縁部を含む、請求項１４に記載の電子デバイス。
【請求項１６】
前記レセプタクルの少なくとも１つは、前記第１又は第２のＳＩＭカードを前記レセプタクル内に固定するように構成された保持機構を含む、請求項１４又は１５に記載の電子デバイス。
【請求項１７】
前記コネクタエンクロージャの前記上面及び下面は、それぞれ第１及び第２の傾斜面を含む、請求項１２に記載の電子デバイス。
【請求項１８】
前記コネクタエンクロージャの少なくとも一部分の上に配置されるように構成されたカバーを更に備える、請求項１２から１７のいずれか一項に記載の電子デバイス。
【請求項１９】
加入者識別モジュール（ＳＩＭ）トレイアセンブリであって、
互いに反対にある第１及び第２の側部と、
第１のＳＩＭカードを内部に保持するように構成された前記第１の側部上にある第１のレセプタクルと、
前記第１及び第２のＳＩＭカードが積層構成に保持されるように、第２のＳＩＭカードを内部に保持するように構成された前記第２の側部上にある第２のレセプタクルと、を備え、前記第１及び第２のレセプタクルの各々は、後部面取り縁部を含む、ＳＩＭトレイアセンブリ。
【請求項２０】
前記レセプタクルの少なくとも１つは、前記第１又は第２のＳＩＭカードを前記レセプタクル内に固定するように構成された保持機構を含む、請求項１９に記載のＳＩＭトレイアセンブリ。
【外国語明細書】
2019153573000001.pdf